(57)【要約】【課題】  夜間に緊急警報が放送されてテレビジョンが起動しても、部屋の中が暗いと、速やかに避難したり、避難のために準備をすることができない。【解決手段】  ＣＰＵは、Ｓ１０４にて主電源をオンにし、Ｓ１０６にて、テレビ放送を受信するとともに、Ｓ１０８にて、ドライバー１６に対して縮小表示を指示する。通常はテレビ放送の受信を選択されることでディスプレイパネル１７の全体に表示されるが、災害情報に関する報道も縮小表示で行いつつ、縮小表示画面以外の周囲の部分を照明に使うために、Ｓ１０８で縮小表示を指示する。さらに、夜間である場合は、Ｓ１１２にて、ＣＰＵはドライバー１６にバックライトの最高輝度での点灯を指示し、ドライバー１６はディスプレイパネル１７のバックライト１７ａを最高輝度にさせる。【選択図】  図３
2015154388.tif 000002
【特許請求の範囲】
【請求項１】
バックライトを有するディスプレイパネルと、前記ディスプレイパネルでテレビ放送の縮小表示が可能なテレビジョンであって、
災害情報を検知する災害情報検知手段と、
災害情報が検知されたときに、バックライトを明るくする点灯させるとともに、テレビ放送を受信する状態にし、縮小表示でテレビ放送を表示させ、縮小表示の周囲を高輝度で点灯させる制御手段とを具備する
ことを特徴とするテレビジョン。
【請求項２】
前記制御手段は、テレビ放送の縮小表示部分について、当該縮小表示を交互にほぼ透過させる表示にさせることを特徴とする請求項１に記載のテレビジョン。
【請求項３】
前記制御手段は、縮小表示中のテレビ放送の明度とコントラストを明るい側に変更させることを特徴とする請求項１または請求項２に記載のテレビジョン。
【請求項４】
前記制御手段は、バックライトの明るさに変化をつけることを特徴とする請求項１〜請求項３のいずれかに記載のテレビジョン。
【請求項５】
前記災害情報検知手段は、地震を検知するセンサーを有することを特徴とする請求項１〜請求項４のいずれかに記載のテレビジョン。
【請求項６】
前記災害情報検知手段は、常時、緊急警報の受信を待機するチューナを有することを特徴とする請求項１〜請求項５のいずれかに記載のテレビジョン。
【請求項７】
時刻を取得する計時手段を有し、
前記制御手段は、時刻に応じて、縮小表示以外の部分の発光色を変化させることを特徴とする請求項１〜請求項６のいずれかに記載のテレビジョン。
【請求項８】
前記制御手段は、夜間に前記災害情報が検知されたときに、縮小表示以外の部分を白色での表示と、白色以外の色の表示とを、時間的に混合して表示させることを特徴とする請求項７に記載のテレビジョン。
【請求項９】
前記制御手段は、昼間に前記災害情報が検知されたときに、縮小表示以外の部分を、白色以外の複数の色を時間的に変化させて表示させることを特徴とする請求項７または請求項８に記載のテレビジョン。
【請求項１０】
バックライトを有するディスプレイパネルと、前記ディスプレイパネルでテレビ放送の縮小表示が可能なテレビジョンの表示方法であって、
災害情報を検知可能であり、災害情報が検知されたときに、バックライトを明るくする点灯させるとともに、テレビ放送を受信する状態にし、縮小表示でテレビ放送を表示させ、縮小表示の周囲を高輝度で点灯させることを特徴とするテレビジョンの表示方法。
【発明の詳細な説明】
【技術分野】
【０００１】
本発明は、緊急警報などを受信するテレビジョンおよびテレビジョンの表示方法に関する。
【背景技術】
【０００２】
災害の発生時などにテレビジョンを活用する技術に関し、特許文献１〜４に開示するものが知られている。
特許文献１は、聴覚障害者や高齢者等に緊急通報を遅滞なく気づかせる送受信システム、送出装置、および受信装置に関する。特許文献１には、図１および段落００３１に、「番組映像を縮小し、表示部１９の左右や下部にできる余白部に、注意喚起情報と出力情報を配置」、段落００４６には「注意喚起画面データ２として高輝度値データを格納」との開示がある。
【０００３】
特許文献２は、緊急警報放送テレビ受信機に関する。特許文献２には、図２および２頁左下欄に、「映像調節装置１５の機能に緊急警報放送受信後一定時間ブラウン管１０に高輝度の一様な画像を出力」との開示がある。
特許文献３は、情報が装置の周辺にいる人々へ与える影響度が高いか否かに依存して、情報の受信を報知する方法を選択する情報受信装置に関する。特許文献３には、図３および段落００９６に、「通知ランプの点灯２４ｆが「連続点灯」であり、高輝度の点灯であり、または、長時間に渡る点灯である場合、受信された映像を高輝度で表示させる」との開示がある。
【０００４】
特許文献４は、消費電力を抑えつつ緊急警報のデータ放送をより確実に受信することができる受信装置および受信制御方法に関する。特許文献４には、図５および段落００６２に、「受信装置（受信端末１００）では、受信部１１０の強制ダイバーシティによる受信効率の向上と、表示部１５０の高輝度化によるユーザへの注意喚起」との開示がある。
【先行技術文献】
【特許文献】
【０００５】
【特許文献１】特開２００９−０６０６５０号公報
【特許文献２】特開昭５８−１３４５８８緊号公報
【特許文献３】特開２００９−０６５３８９号公報
【特許文献４】特開２００９−０６０１６６号公報
【発明の概要】
【発明が解決しようとする課題】
【０００６】
従来から、緊急警報放送時にテレビジョンを起動させるものは知られている。また、特許文献１には、「番組映像を縮小し、表示部１９の左右や下部にできる余白部に、注意喚起情報と出力情報を配置」することは知られている。
しかし、夜間に緊急警報が放送されてテレビジョンが起動しても、部屋の中が暗いと、速やかに避難したり、避難のために準備をすることができないという課題があった。他の特許文献においても、部屋の中が暗い状況であることを解決することはできなかった。
【課題を解決するための手段】
【０００７】
本発明は、バックライトを有するディスプレイパネルと、前記ディスプレイパネルでテレビ放送の縮小表示が可能なテレビジョンであって、災害情報を検知する災害情報検知手段と、災害情報が検知されたときに、バックライトを明るくする点灯させるとともに、テレビを受信状態にし、縮小表示でテレビ放送を表示させ、縮小表示の周囲を高輝度で点灯させる制御手段とを具備する構成としてある。
【０００８】
前記構成において、災害情報検知手段が災害情報を検知すると、制御手段は、バックライトを明るくする点灯させるとともに、テレビジョンを受信状態にし、縮小表示でテレビ放送を表示させ、縮小表示の周囲を高輝度で点灯させる。
縮小表示でテレビ放送を表示させ、縮小表示の周囲を高輝度で点灯させるので、テレビジョンのディスプレイパネルは照明灯の代わりになる。
【０００９】
本発明の他の態様として、前記制御手段は、テレビ放送の縮小表示部分についても、当該縮小表示と交互にバックライトをほぼ透過させる表示にさせる構成としても良い。
前記構成において、テレビ放送の縮小表示部分についても、当該縮小表示と交互にバックライトをほぼ透過させる表示にさせることにより、暗い部屋の中をより明るくさせることができ、速やかに避難しやすくできる。また、縮小表示でのテレビ放送も引き続き交互に表示するので、情報の取得としても引き続き利用できる。
【００１０】
本発明の他の態様として、前記制御手段は、縮小表示中のテレビ放送の明度とコントラストを一時的に明るい側に変更させる構成としても良い。
前記構成において、縮小表示中のテレビ放送の明度とコントラストを一時的に明るい側に変更させるので、縮小表示中のテレビ放送の部分も照明としての利用を期待できる。
本発明の他の態様として、前記制御手段は、バックライトの明るさに変化をつける構成としても良い。
【００１１】
前記構成において、バックライトの明るさには限度があるので、単に明るくするだけでなく、明るくしたり暗くしたり繰り返すことで、ユーザの目を慣れさせ、バックライトの明るさでも速やかに避難できるようにする。
本発明の他の態様として、前記災害情報検知手段は、地震を検知するセンサーを有する
構成としても良い。
前記構成において、地震を検知するセンサーを備えることにより、災害の一つとしての地震に対して速やかに反応できるようになる。
【００１２】
本発明の他の態様として、前記災害情報検知手段は、常時、緊急警報の受信を待機するチューナを有する構成としても良い。
前記構成において、チューナは、常時、緊急警報の受信を待機する。従って、電源をオフあるいはスタンバイにしておいても、緊急警報の受信を待機しているので、確実に緊急警報を受信し、照明として機能できるようになる。
【００１３】
本発明の他の態様として、時刻を取得する計時手段を有し、前記制御手段は、時刻に応じて、縮小表示以外の部分の発光色を変化させる構成としても良い。
その一例として、前記制御手段は、夜間に前記災害情報が検知されたときに、縮小表示以外の部分を白色での表示と、白色以外の色の表示とを、時間的に混合して表示させる構成としても良い。
【００１４】
前記構成において、照明として白色での表示を行いつつ、白色以外の色の表示も時間的に混ぜ合わせ、ユーザに緊急状態であることを知らしめることができる。
また、他の一例として、前記制御手段は、昼間に前記災害情報が検知されたときに、縮小表示以外の部分を、白色以外の複数の色を時間的に変化させて表示させる構成としても良い。
【００１５】
前記構成において、昼間は照明としての機能はさほど効果がないものの、白色以外の複数の色を時間的に変化させて表示させることで、テレビジョンのディスプレイパネルが部屋の中で際だち、ユーザに緊急状態であることを知らしめることができる。
本発明にかかる技術的思想はテレビジョンという形態のみで実現されるものではなく、例えば、上述したテレビジョンが実行する処理手順を有するテレビジョンの表示方法の発明や、上述したテレビジョンにおいて実現される処理をハードウェア（コンピューター）に実行させるプログラムの発明としても、把握することが可能である。
【発明の効果】
【００１６】
本発明によれば、災害が発生した緊急事態にテレビジョンを照明の代わりにも利用でき、暗い室内での速やかな避難等が可能となる。
【図面の簡単な説明】
【００１７】
【図１】本発明の第一実施例のテレビジョンのブロック図である。
【図２】災害情報を検知するセンサーの例を示す図である。
【図３】テレビジョンが実行する処理手順に対応したフローチャートである。
【図４】災害情報を検知したときの画面変化を示すテレビジョンの斜視図である。
【図５】テレビジョンが実行する処理手順に対応したフローチャートである。
【図６】第二実施例にかかる災害情報を検知したときの画面変化を示すテレビジョンの斜視図である。
【図７】テレビジョンが実行する処理手順に対応したフローチャートである。
【図８】第三実施例にかかる災害情報を検知したときの画面変化を示すテレビジョンの斜視図である。
【図９】テレビジョンが実行する処理手順に対応したフローチャートである。
【図１０】第四実施例にかかる災害情報を検知したときの画面変化を示すテレビジョンの斜視図である。
【図１１】テレビジョンが実行する処理手順に対応したフローチャートである。
【図１２】第五実施例にかかる災害情報を検知したときの画面変化を示すテレビジョンの斜視図である。
【発明を実施するための形態】
【００１８】
以下、図面にもとづいて本発明の実施形態を説明する。
（第一実施例）
図１は、本発明の一実施形態にかかる常時録画装置を兼ねたテレビジョンをブロック図により示している。
同図において、本テレビジョン１０は、六つのチューナ（デジタルチューナ）１１（１１ａ１〜１１ａ６）を備えている。各チューナ１１は、地デジチューナ、ＢＳチューナ、ＣＳチューナの機能を備えている。従って、同時に異なる六つのテレビ放送を受信できる。
【００１９】
各チューナ１１ａ１〜１１ａ６のＩＦ出力は、復調器１１ｂ１〜１１ｂ６に入力されており、復調器１１ｂ１〜１１ｂ６はＩＦ出力を復調してエラー処理まで行われた復調信号が、それぞれ個別にデマルチプレクサ１２に入力されている。
デマルチプレクサ１２は多重信号の分離を行うが、さらにＣＰＵやＲＯＭやＲＡＭを内蔵して所定のプログラムを実行し、各部を制御してテレビ放送の受信や録画および再生を行なうことが可能である。ＣＰＵは後述する災害検知時の処理では、画面の縮小表示や、バックライトの輝度の指示、縮小表示中の画面の明度やコントラストおよび透過度の指示、縮小表示以外の画面の色の指示を行うことができる。一部は画質調整として実行すればよいし、一部は後述するドライバー１６への指示で実現している。なお、クロックを備えることにより日時（日付と時刻）の計時も可能である（計時手段を構成する）。そのほか、ＯＳＤ（オンスクリーンディスプレイ）で所定の文字や記号も表示可能であり、後述するデコーダ１５に出力する。
【００２０】
マルチプレクサ１３は、録画時、受信したデジタル放送のコンテンツから録画に必要な情報を注出して再多重し、記録領域としてのＨＤＤ１４に記録させる。再生時は、デマルチプレクサ１２がＨＤＤ１４から直にデータを読み出す。ＨＤＤ１４には、デジタル放送のコンテンツを記録可能であるのに加え、災害時の画面表示のユーザ選択なども記憶されている。なお、ＨＤＤ１４に代え、または、ＨＤＤ１４とともに記録媒体を変更可能なブルーレイディスクドライブ１４ａや、外付けのＨＤＤなどを備えても良い。
【００２１】
受信したデジタル放送のトランスポートストリームあるいはＨＤＤ１４から読み出されたデータはデコーダ１５に入力され、映像信号と音声信号とに分離され、デコードされる。デコードされた映像信号はドライバー１６に入力されてディスプレイパネル１７で映像として表示される。ドライバー１６は、画像の画質調整を実現でき、明度、コントラスト、色合いなどの調整が可能である。この調整はデマルチプレクサ１２内のＣＰＵからの指示によって行なう。また、明るさの調整には画質としての調整に加え、ディスプレイパネル１７のバックライト１７ａの輝度を調整することによっても行なう。画質調整には透過度の調整も含んでおり、透過度を上げると本来の映像部分を徐々に透過させる。例えば、本来の映像が真っ黒なベタ画面であり、全体の背景画像として白色画面を前提とすると、透過度を最大に上げると画面は完全な白色画面に移行するし、透過度を最も下げると本来の映像だけの表示になって画面の表示も真っ黒なベタ画面となる。背景画像は白色画面の他、赤、緑、青といった一色のベタ画面を選択することもできる。この選択はＣＰＵからの指示に基づいており、ＣＰＵは初期設定値あるいはユーザによるメニュー画面からの選択を通して行うことができる。
【００２２】
また、デコードされた音声信号はアンプ１８で増幅されてスピーカ１９から音声として出力される。また、デコーダ１５はデマルチプレクサ１２のＣＰＵが生成する各種のＯＳＤ表示のデータを入力し、デコードされた映像信号に重畳してドライバー１６へと出力する。
本テレビジョン１０に対する操作指示は、操作パネル２１を介してデマルチプレクサ１２が取得し、所定の制御に反映させる。また、リモコン２２を介する操作指示も同様に取得可能となっている。上述した、画質調整であったり、メニュー画面からの背景画像の選択なども、この操作パネル２１を介して行う。
【００２３】
デマルチプレクサ１２にはネットワークユニット２３が接続され、デマルチプレクサ１２はネットワークユニット２３を介して小規模ＬＡＮやインターネットへ接続することが可能である。また、デマルチプレクサ１２はサーバー機能も備えており、本テレビジョン１０に対して所定のプロトコールに準拠してアクセスすれば、対応するデータを提供することができるようになっている。例えば、ＨＤＤ１４に録画されている映像プログラムを提供するメディアサーバーとして機能する。また、ネットワーク上の記録装置に対してＨＤＤ１４のように録画再生しても良い。
【００２４】
本テレビジョン１０は、災害時の対応のため、緊急警報放送の受信を待機する専用の緊急警報放送チューナ１１ａ７を備えており、これは主電源がオフになっていてもスタンバイ状態であれば受信できるように待機している。
また、地震検知センサー２４を備えており、本テレビジョン１０自身で地震の検知が可能である。
図２は、災害情報を検知するセンサーの例を図により示している。地震検知センサー２４は、金属製で水平面に配向したリング状の第一電極２４ａと、その中心を通過しつつ上端をいずれの方向にも揺動可能に支持される共に下端におもりを固定した第二電極２４ｂを備え、第一電極２４ａと第二電極２４ｂとの接触を電気的に検知する。この他にも３軸方向への加速度を検出する加速度センサー２４ｃを備え、振動を加速度に基づいて検知する構成としても良い。
【００２５】
緊急警報放送チューナ１１ａ７と地震検知センサー２４は、主電源のオフ時にも稼働しており、検知結果をＣＰＵに出力し、ＣＰＵはスタンバイ状態でもこの検知出力を受けてテレビジョン１０の主電源をオンにすることができる。なお、緊急警報放送チューナ１１ａ７と地震検知センサー２４は、災害情報検知手段に相当する。また、デマルチプレクサ１２のＣＰＵは制御手段に相当する。前記実施例においては、常時録画機能が付いているが、常時録画機能付きのテレビジョンに限定されるものではない。
【００２６】
図３は、テレビジョンが実施する災害時の対策処理の処理手順に相当するフローチャートを示しており、図４は、災害情報を検知したときの画面変化をテレビジョンの斜視図により示している。なお、以下のフローチャートに示す処理手順は、それぞれがテレビジョンの表示方法の工程を示している。
ＣＰＵは、Ｓ１００にて、災害情報を検知したか判断する。災害情報を検知したか否かは、緊急警報放送チューナ１１ａ７と地震検知センサー２４の検知結果を受けることにより実現している。これらは主電源のオフ時にも稼働しており、ＣＰＵはスタンバイ状態でもこの検知出力を受けて起動する。このようにして起動されれば、災害情報を検知したか判断できる。また、主電源がオンになっているときに通知を受けた場合も災害情報を検知したと判断できる。
【００２７】
ＣＰＵは、Ｓ１０２にてテレビジョンの主電源がオフか判断し、オフであれば、Ｓ１０４にて、まず、テレビジョンの主電源をオンにする。上述したように、ＣＰＵはスタンバイ状態でも緊急警報放送チューナ１１ａ７と地震検知センサー２４の検知結果を受けて起動するため、このようにして起動されれば主電源がオフであることに相当するので、Ｓ１０４にて主電源をオンにする。また、Ｓ１０６にて、テレビ放送を受信する。通常は、主電源をオンにすることでテレビ放送の受信は開始するが、入力切換でテレビ放送以外の視聴を選択していたときには、テレビ放送を選択する。これは災害情報の検知に伴ってテレビ放送で災害に関する報道が行われる可能性が高いからである。
【００２８】
続いて、ＣＰＵは、Ｓ１０８にて、ドライバー１６に対して縮小表示を指示する。通常はテレビ放送の受信を選択されることでディスプレイパネル１７の全体に表示されるが、災害情報に関する報道も縮小表示で行いつつ、縮小表示画面以外の周囲の部分を照明に使うために、Ｓ１０８で縮小表示を指示する。ドライバー１６はこのような縮小表示も可能であり、指示に従って画面の中央にテレビ放送の画面を縮小表示で表示する。このとき、周囲の色である背景画像はデフォルトの全画面白色とする。従って、縮小表示以外の部分は真っ白である。
【００２９】
次に、ＣＰＵは、Ｓ１１０にて夜間時間帯か否かを判断する。デマルチプレクサ１２内のＣＰＵは日時の計時も可能であるので、災害情報が検知された直後の時間を取得し、夜間であるか判断する。一般的に午後６時〜午前６時ぐらいを夜間帯と判断すればよい。夜間であるか否かは照明が必要であるか否かということに相当する。従って、緯度や経度、日付によって日の出と日の入りを判断し、日の入りから日の出までを夜間と判断しても良い。また、インターネットに接続してその地点での日の入りから日の出までを検知しても実現可能である。
【００３０】
夜間である場合は、Ｓ１１２にて、ＣＰＵはドライバー１６にバックライトの最高輝度での点灯を指示し、ドライバー１６はディスプレイパネル１７のバックライト１７ａを最高輝度にさせる。
図４に示すように、テレビ放送は縮小してディスプレイパネル１７の中央に表示されており、その周囲は画像として真っ白であり、かつ、バックライト１７ａは最高輝度となる。このように、本案では受信表示画面を縮小して自動で表示し、合わせて縮小した画面の周囲を白色点灯し電灯代わりとすることで避難しやすくする。
【００３１】
すなわち、緊急時（緊急警報放送受信時など）、テレビの受信表示画面を縮小して表示し、
（１）受信画面の周囲を白色／高輝度で点灯する。これによりテレビ放送を受信／表示するだけでなく、室内を照らす照明として機能させる
（２）夜間など一般的な就寝時間であれば、周囲の高輝度部分を点滅させて視覚的に起床を促す。
（３）緊急警報放送を受信しなくても、揺れを感知したら前記（１）、（２）の動作を行う。
【００３２】
一方、夜間時間帯でないと判断されたときは、昼間に相当し、ＣＰＵは、Ｓ１２４にて、縮小表示以外の部位を白以外の色で表示させるとともに、一定時間毎に色を変化させる。夜間でないときは、照明の必要性が低い。照明として利用するよりも、注意喚起としてテレビ放送表示の周囲を利用する。背景画像のデフォルトは全画面白であるが、これを一定時間毎に色を変え、周囲については「黄の全画面」、「黒の全画面」の繰り返しであったり、「赤の全画面」、「青の全画面」、「緑の全画面」・・というように複数の多彩な原色表示などとすることで注意を喚起することができる。なお、白色以外の色が加わって変化すればよく、変化する一つの過程で白色の画面を含んでいても構わない。
このように、夜間か昼間かで縮小表示以外の部分の発光色を変化させ、時間帯に適した表示とすることで避難をしやすくできる。
【００３３】
（第二実施例）
本実施例では、夜間時間帯での点灯の態様を変更している。Ｓ１００〜Ｓ１１２，Ｓ１２４の処理に変更はない。
図５は、テレビジョンが実施する災害時の対策処理の処理手順に相当するフローチャートを示しており、図６は、災害情報を検知した後の画面変化をテレビジョンの斜視図により示している。
ＣＰＵは、Ｓ１１２にて、ドライバー１６にバックライトの最高輝度での点灯を指示したら、続いて、Ｓ１１４にて、テレビジョンの画質調整でコントラストを最大にし、Ｓ１１６では、テレビジョンの画質調整で明度を上げる。これらはドライバー１６に対して指示することで、同ドライバー１６が画質調整された映像信号をディスプレイパネル１７に出力して実現される。
【００３４】
コントラストを最大にしつつ、明度を上げると、テレビ放送の縮小表示部分の明るさが向上する。これにより、周囲の照明部分に加えてテレビ放送の縮小表示部分でも照明の補助ができ、室内を明るく照らして避難をしやすくすることができる。
【００３５】
（第三実施例）
本実施例では、夜間時間帯での点灯の態様を変更している。Ｓ１００〜Ｓ１１２，Ｓ１２４の処理に変更はない。
図７は、テレビジョンが実施する災害時の対策処理の処理手順に相当するフローチャートを示しており、図８は、災害情報を検知した後の画面変化をテレビジョンの斜視図により示している。
ＣＰＵは、Ｓ１１２にて、ドライバー１６にバックライトの最高輝度での点灯を指示したら、続いて、Ｓ１１８にて、一定時間毎に、縮小表示部分を透過表示にする。透過表示は、ＣＰＵがドライバー１６に対して指示し、同ドライバー１６が画質調整された映像信号をディスプレイパネル１７に出力して実現される。透過すると、背景画像である白色の表示に変わる。これにより、照明としての明るさがさらに向上する。一方、テレビ放送の表示も情報入手のために必要であるから、一定時間毎に透過表示としたり、元の透過しない表示としたりすることを繰り返す。
むろん、交互に透過表示としたり、元の透過しない表示したりする時間間隔は特に限定されるものではなく、一定時間毎であったり、不定期な時間毎であっても構わない。
【００３６】
（第四実施例）
本実施例では、夜間時間帯での点灯の態様を変更している。Ｓ１００〜Ｓ１１２，Ｓ１２４の処理に変更はない。
図９は、テレビジョンが実施する災害時の対策処理の処理手順に相当するフローチャートを示しており、図１０は、災害情報を検知した後の画面変化をテレビジョンの斜視図により示している。
ＣＰＵは、Ｓ１１２にて、ドライバー１６にバックライトの最高輝度での点灯を指示したら、続いて、Ｓ１２０にて、バックライトの明るさを徐々に変化させる。バックライトの輝度は、ＣＰＵがドライバー１６に対して指示し、同ドライバー１６がディスプレイパネル１７のバックライトの輝度を変化させて実現される。バックライトの明るさには限度があるので、単に明るくするだけでなく、明るくしたり暗くしたり繰り返すことで、ユーザの目を慣れさせ、バックライトの明るさでも速やかに避難できるようになる。
【００３７】
（第五実施例）
本実施例では、夜間時間帯での点灯の態様を変更している。Ｓ１００〜Ｓ１１２，Ｓ１２４の処理に変更はない。
図１１は、テレビジョンが実施する災害時の対策処理の処理手順に相当するフローチャートを示しており、図１２は、災害情報を検知した後の画面変化をテレビジョンの斜視図により示している。
ＣＰＵは、Ｓ１１２にて、ドライバー１６にバックライトの最高輝度での点灯を指示したら、続いて、Ｓ１２２にて、縮小表示部分以外の部位を白以外の色で表示で変化をつける。照明として白色での表示を行いつつ、白色以外の色の表示も時間的に混ぜ合わせ、ユーザに緊急状態であることを知らしめることができる。また、最初は、白色だけで表示して照明として室内を照らす役目を行わせ、その後、着色された表示と、白色の表示とを繰り返し、以後は、照明に加えて注意喚起の機能を高めるようにしても良い。
白色と白色以外を時間的に混合して表示させるのは、徐々に色を変える場合も含むし、背景画像の色を瞬間的に変化させていく場合も含む。
【００３８】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００３９】
１０…テレビジョン、１１、１１ａ〜１１ａ６…チューナ（デジタルチューナ）１１ａ７…緊急警報放送チューナ、１１ｂ１〜１１ｂ６…復調器、１２…デマルチプレクサ、１３…マルチプレクサ、１４…ＨＤＤ、１４ａ…ブルーレイディスクドライブ、１５…デコーダ、１６…ドライバー、１７…ディスプレイパネル、１７ａ…バックライト、１８…アンプ、１９…スピーカ、２１…操作パネル、２２…リモコン、２３…ネットワークユニット、２４…地震検知センサー、２４ａ…第一電極、２４ｂ…第二電極、２４ｃ…加速度センサー。
【図１】
2015154388.tif 000003
【図２】
2015154388.tif 000004
【図３】
2015154388.tif 000005
【図５】
2015154388.tif 000006
【図７】
2015154388.tif 000007
【図９】
2015154388.tif 000008
【図１１】
2015154388.tif 000009
【図４】
2015154388.tif 000010
【図６】
2015154388.tif 000011
【図８】
2015154388.tif 000012
【図１０】
2015154388.tif 000013
【図１２】
2015154388.tif 000014
【手続補正書】
【提出日】平成26年7月2日(2014.7.2)
【手続補正１】
【補正対象書類名】明細書
【補正対象項目名】０００５
【補正方法】変更
【補正の内容】
【０００５】
【特許文献１】特開２００９−０６０６５０号公報
【特許文献２】特開昭５８−１３４５８８号公報
【特許文献３】特開２００９−０６５３８９号公報
【特許文献４】特開２００９−０６０１６６号公報